(57)【特許請求の範囲】
【請求項１】
本体内に、室内の空気を室外に排出する排気通路と、室外の空気を室内に給気する給気通路とを形成し、上記排気通路に排気ファンを、上記給気通路に給気ファンとを設けるとともに、上記排気通路と上記給気通路との交差部に熱交換をする熱交換素子とを有する、天井に設けられる略四角形の固定枠に取り付けられる換気装置本体と、
上記換気装置本体の上記給気通路の入口となる外気の吸込口，及び上記排気通路の出口となる排気口とに連通するとともに、室外に連通するダクトを接続する接続部を有する、上記固定枠に取り付けられる第１の接続板と、
上記換気装置本体の上記給気通路の出口となる吹出口に連通するとともに、室内吹出口に連通するダクトを接続する接続部を有する、上記固定枠に取り付けられる第２の接続板と、から構成され、上記固定枠に取り付けた上記第１及び第２の接続板の間に上記換気装置本体を着脱自在に上記固定枠に取り付けるように構成した換気装置。
【請求項２】
本体内に、室内の空気を室外に排出する排気通路と、室外の空気を室内に給気する給気通路とを形成し、上記排気通路に排気ファンを、上記給気通路に給気ファンとを設けるとともに、上記排気通路と上記給気通路との交差部に熱交換をする熱交換素子とを有する、天井に設けられる略四角形の固定枠に取り付けられる換気装置本体と、
上記換気装置本体の上記給気通路の入口となる外気の吸込口，及び上記排気通路の出口となる排気口とに連通するとともに、室外に連通するダクトを接続する接続部を有する、上記固定枠に取り付けられる第１の接続板と、
上記換気装置本体の上記給気通路の出口となる吹出口に連通するとともに、室内吹出口に連通するダクトを接続する接続部を有する、上記固定枠に取り付けられる第２の接続板と、から構成され、上記第１及び第２の接続板にダクトを接続した後、上記固定枠に取り付けるステップを実行した後、上記第１及び第２の接続板の間に上記換気装置本体を挿入固定し、上記固定枠に取り付けるステップを実行することを特徴とする換気装置の施工方法。
【請求項３】
上記第１の接続板と上記第２の接続板とを着脱可能の連結板で連結したことを特徴とする請求項１に記載の換気装置。
【発明の詳細な説明】
【０００１】
【発明の属する技術分野】
この発明は住宅等の天井裏に固定される換気装置及びその施工方法に関するものである。
【０００２】
【従来の技術】
従来、特開平６−２７２９１９号公報に記載された図１０に示す熱交換型の換気装置１が知られている。この換気装置１では、ハウジング３内に熱交換素子としてエレメント５が設けられている。エレメント５は、例えば特殊加工紙製の間隔板が特殊加工紙製の複数の仕切板間で３〜４ｍｍ間隔で重ね合わされた構造をなしたものであり、間隔板と仕切板とにより互いに直交する排気流路Ａ１と給気流路Ａ２が層状に形成されている。
【０００３】
また、ハウジング３内には、排気流路Ａ１を内気取込口７から外気排出口９に連通させて排気通路ＲＡ，ＥＡを形成すると共に、給気流路Ａ２を外気取込口１１から内気給気口１３に連通させて給気通路ＯＡ，ＳＡ形成する隔壁３ａ〜３ｄが設けられている。ハウジング３内には、外気排出口９の近傍に排気通路Ａ１に送風する排気ファン１５が設けられ、内気給出口１３の近傍には、給気通路Ａ２に送風する給気ファン１７が設けられている。
【０００４】
ハウジング３の右端の板部２０には、外気の排出口，取込口をなす外気パイプ９，１１が設けられていて、外気パイプ９，１１に外気ダクト２２，２３が接合されており、左端の板部２５には、内気の取込口，給出口をなす内気パイプ７，１３が設けられていて、内気パイプ７，１１に内気ダクト２７，２８に接合されている。エレメント５には、給気流路Ａ２の取込側と、排気流路Ａ１の取込側に微塵を補集可能な排気フィルター３０，給気フィルター３２が設けられている。
【０００５】
上記のように構成された換気装置１では、排気ファン１５及び給気ファン１７の作動により、内気取込口７を介して室内ＩＤの空気たる内気が取り込まれ、エレメント５を介して外気排出口９から室外に排出される。一方、外気取込口９を介して室外の新鮮な空気たる外気が取り込まれ、エレメント５を介して内気給出口１３から室内に給気される。そして、この間、エレメント５の排気流路Ａ１と給気流路Ａ２とにより内気と外気とで潜熱及び顕熱が交換されることとなる。このため、この換気装置１を用いれば、室内の温度及び湿度をほとんど変えることなく、換気を行うことができる。
【０００６】
【発明が解決しようとする課題】
しかしながら、上記のように構成された換気装置１は、住宅の天井裏に施工するには、住宅の施工の先立ち、予め天井に換気装置１を固定するための四角形の木枠を設けておいて、内気ダクト２７，２８を内気パイプ７，１３に接続し、外気ダクト２２，２３を外気パイプ９，１１に接続してからハウジング３を木枠に固定している。したがって、換気装置１の据え付けは住宅建設の施工工程、特に天井部の施工工程を考慮しながら換気装置１を住宅の天井部に取り付けなければならないという問題点があった。
【０００７】
この発明は、上記のような課題を解決するためになされたもので、簡易で取り扱いのし易い換気装置及び換気装置の施工方法を提供することを目的とするものである。
【０００８】
【課題を解決するための手段】
第１の発明に係る換気装置は、本体内に、室内の空気を室外に排出する排気通路と、室外の空気を室内に給気する給気通路とを形成し、上記排気通路に排気ファンを、上記給気通路に給気ファンとを設けるとともに、上記排気通路と上記給気通路との交差部に熱交換をする熱交換素子とを有する、天井に設けられる略四角形の固定枠に取り付けられる換気装置本体と、
上記換気装置本体の上記給気通路の入口となる外気の吸込口，及び上記排気通路の出口となる排気口とに連通するとともに、室外に連通するダクトを接続する接続部を有する、上記固定枠に取り付けられる第１の接続板と、
上記換気装置本体の上記給気通路の出口となる吹出口に連通するとともに、室内吹出口に連通するダクトを接続する接続部を有する、上記固定枠に取り付けられる第２の接続板と、から構成され、上記固定枠に取り付けた上記第１及び第２の接続板の間に上記換気装置本体を着脱自在に上記固定枠に取り付けるように構成したものである。
【０００９】
第２の発明に係る換気装置の施工方法は、本体内に、室内の空気を室外に排出する排気通路と、室外の空気を室内に給気する給気通路とを形成し、上記排気通路に排気ファンを、上記給気通路に給気ファンとを設けるとともに、上記排気通路と上記給気通路との交差部に熱交換をする熱交換素子とを有する、天井に設けられる略四角形の固定枠に取り付けられる換気装置本体と、
上記換気装置本体の上記給気通路の入口となる外気の吸込口，及び上記排気通路の出口となる排気口とに連通するとともに、室外に連通するダクトを接続する接続部を有する、上記固定枠に取り付けられる第１の接続板と、
上記換気装置本体の上記給気通路の出口となる吹出口に連通するとともに、室内吹出口に連通するダクトを接続する接続部を有する、上記固定枠に取り付けられる第２の接続板と、から構成され、上記第１及び第２の接続板にダクトを接続した後、上記固定枠に取り付けるステップを実行した後、上記第１及び第２の接続板の間に上記換気装置本体を挿入固定し、上記固定枠に取り付けるステップを実行するものである。
【００１２】
第３の発明に係る換気装置は、上記第１の接続板と上記第２の接続板とを着脱可能の連結板で連結したものである。
【００１７】
【発明の実施の形態】
実施の形態１．
この発明の実施の形態を図１から図３によって説明する。図１はこの発明の一実施の形態による換気装置の分解斜視図、図２は図１の熱交換部の分解斜視図、図３は図１の換気装置の上ケースを外した状態での平面図である。
【００１８】
図において、換気装置１０１は換気装置本体１０２と接続板１３０，１４０と連結板１５０とで構成されている。換気装置本体１０２は本体１０３とこの本体に収納された熱交換素子であるエレメント１０５等を有する熱交換部２００等とから構成されている。
本体１０３は下方が開口した直方体形状をして、開口及び天面はほぼ正方形をしており、隣接する側面には、一方の側に外気取り入れ用の吸込口１０３ａと室内気を排気する排気口１０３ｂを有し、他方の側には外気を吹出す吹出口１０３ｃを有している。
【００１９】
本体１０３の開口及び天面を正方形としたことにより、設置場所によって取付け向きを変更したい場合など容易にでき、取付けやダクトの配管方向等の自由度も増し施工が容易にできる。
下方の開口側の端部には本体を固定枠１００１に取付け固定するためのフランジ１０３ｆが４辺に外側に曲げて形成されている。フランジ１０３ｆには取付穴が各辺に複数設けられている。
【００２０】
本体１０３の天面である上面には後述する接続板の突起の逃げとなる凹部が設けられている。
本体１０３の開口は熱交換部２００を組み付け後、四角形の孔２０５ｆを有する底板２０５を取付けて塞がれる。
【００２１】
接続板１４０は第１の接続板（外気側板）で、本体１０３の吸込口１０３ａに通じる室外の空気を取り込む吸込口１１１ａと本体１０３の排気口１０３ｂに繋がる室内気を排気する排気口１０９ａを有し、この吸込口１１１ａと排気口１０９ａには室外と連通して気流を流すダクト１１００を接続する接続部としてのパイプ１０９，１１１を本体１０３の天面とほぼ平行の横一列に設けてある。パイプ１０９，１１１を本体１０３の天面とほぼ平行にすることによりダクトを接続する場合に天井の梁などと干渉しにくくなり、ダクトが配管し易くなる。
【００２２】
接続板１４０は本体１０３に取付け固定するために、本体１０３に重なるように接続部と反対の方向に延設片１４０ａとストッパ片１４０ｃが設けられている。
延設片１４０ａは本体１０３の側面を挟むように構成され、横方向の位置決めをするとともに、本体１０３が摺動可能になっている。
【００２３】
ストッパ片１４０ｃは延設片１４０ａの上部の間に同方向に形成されて、本体１０３の天面である上端部が当接して挿入奥行きの位置決めとなる。ストッパ片１４０ｃの下面となる内側には後述する連結板１５０固定のための鍵状の突起１４０ｔが２ヶ所設けられている。突起１４０ｔの設けられた位置はストッパ片１４０のセンター（本体１０３のセンターに一致）に対して振りわけられている。突起１４０ｔは連結板１５０の穴に入り込み接続板１４０の弾性力により連結板１５０に張力を作用させて接続板を強固に保持する。
【００２４】
また、接続板１４０の下端には接続板１４０を天井の固定枠１００１に固定するためのフランジ１４０ｆが接続部と同方向に延設されている。フランジ１４０ｆの幅は本体１０３とほぼ同じに形成されるとともに固定枠１００１に固定するための取付穴が複数設けてある。
【００２５】
接続板１３０は第２の接続板（内気側板）で、本体１０３の外気を吹出す吹出口１０３ｃに通じる開口１３０ｂを有し、接続板１４０と同様に延設片１３０ａ、ストッパ片１３０ｃ、フランジ１３０ｆが設けられている。ストッパ片１３０ｃの下面には接続板１４０のストッパ片１４０ｃと同様に突起１３０ｔが設けれれている。フランジ１３０ｆ側の延設方向の面側の開口１３０ｂの部分にはこの開口部を覆うように箱部１３２が固定されている。
【００２６】
この箱部１３２には各部屋に給気するためのダクト８００を接続するための接続部であるパイプ１１３が複数設けられている。パイプ１１３の数は給気する部屋数によって変えられる。
パイプ１１３を本体１０３の天面とほぼ平行に並べて接続板１３０の上部に設けたのは、パイプ１１３とダクト８００とを接続する際に、天井下面の直ぐ近くに設けられた梁部材などと干渉を避けるためである。
【００２７】
連結板１５０は接続板１４０と接続板１３０を連結させるもので、接続板のストッパ片１４０ｃと１３０ｃの突起１４０ｔ，１３０ｔに固定するための穴１５０ｅが複数設けられた平板形状をしている。連結板１５０は長さに対して幅が６対１以上の幅広になっている。幅広にすることにより接続板１４０と１３０にダクトなどを接続したとき、捻りなどの力に対して強くなり変形し難く、接続板１４０と１３０の所定間隔が維持され本体１０３の挿入、装着が容易にできる。
【００２８】
換気装置本体１０２の中に入る熱交換部２００は本体１０３に合わせてほぼ正方形の矩形をしている。
熱交換部２００は、換気装置１０２本体内に風路である排気通路（ＲＡ→ＥＡ）及び給気通路（ＯＡ→ＳＡ）を形成するために、本体内部を仕切る上ケース２０１及び下ケース２０３を有し、この上下ケースの間に排気通路と給気通路との間で熱交換をする熱交換素子としてのエレメント１０５及び送風用のファン１１５，１１７を設けたものである。
【００２９】
上ケース２０１は発砲スチロールの成形品で形成され、大きく分けエレメント収納部２０１ｇとファン収納部２０１ｆを形成している。エレメント収納部２０１ｇの側壁には、本体１０３の外気を吹出す吹出し口１０３ｃ（ＳＡ）に通じる左側面の下部が切り欠かている切欠部２０１ｊが設けられて給気通路を形成している。エレメント収納部２０１ｇは四角形の凹部となっている。
エレメント収納部２０１ｇの上部に開口である三角形状の切欠部２０１ｂが設けられ、室内空気を排気する排気ファン１１５に通じる排気通路を形成する。
【００３０】
一方ファン収納部２０１ｆはＵ字形状の凹部となっており、排気ファン１１５の収納部の側壁には本体１０３の排気口１０３ｂ（ＥＡ）に通じ排気通路を形成する切欠き部２０１ｄが形成されている。
下ケース２０３は、発砲スチロールの成形品で形成され、大きく分けエレメント収納部２０３ｇとファン収納部２０３ｆが形成されている。エレメント収納部２０３ｇの底部には室内空気を吸込むための四角い開口である吸込口２０３ｅ（ＲＡ）が設けられている。
【００３１】
吸込口２０３ｅとファン収納部２０３ｆとの間には給気通路側のエレメント１０５の入口側に取付けるフィルター２３０を着脱するための台形状の孔２０３ｂが形成されている。ファン収納部２０３ｆはＵ字形状の凹部となっている。
ここで、熱交換装置本体１０２の開口及び天面と熱交換部２００をほぼ正方形としたのは、熱交換装置本体１０２を取付ける場所によって向きを変えて最も適切な位置で、ダクト８００，１１００とパイプ１０９，１１１，１１３を接続できるので、ダクト８００，１１００の配管や設置方向の自由度が高くなる。
【００３２】
上ケース２０１、下ケース２０３、エレメント１０５及び排気フィルター２３１は順に本体１０３の中に組み入れて組み合わされる。
【００３３】
下ケース２０３には、給気フィルター２３０を挿入するエレメント１０５側が長い台形状の貫通した孔２０３ｂが設けられているが、この孔２０３ｂの側面はエレメント１０５の側面と接している。エレメント１０５の給気通路側の入口に給気フィルター２３０がスライドしながら孔２０３ｂより着脱できるように形成されている。これにより、エレメント１０５から給気フィルター２３０の着脱が容易にできるので、フィルター２３０の清掃がやり易い。
【００３４】
給気フィルター２３０の下部には、給気フィルター２３０に捕獲された塵、虫などを受ける箱状の受け皿２３２が設けられている。受け皿２３２を設けたことにより、給気フィルター２３０を着脱するときにフィルター表面に付着した塵などが落下するが、これを受け皿２３２に受けることができ取り扱う人に掛かたり、床の上に落ちて汚すことを防止できる。
【００３５】
給気フィルター２３０と受け皿２３２は分離可能に連結されており、その連結構造は、受け皿２３２の側面上部に切り込み２３２ｔを入れて構成した切込片２３２ａを設け、この一対の切込片２３２ａを撓まして受け皿の側面との間に給気フィルター２３０の下部を挟むようにして、切込片２３２ａを下方向に押圧するように装着連結されている。給気フィルター２３０を外すときは上方向に抜き取ることで、切込片２３２ａから外れる。
受け皿２３２と給気フィルター２３０とを分離可能にしたので、目詰まりした給気フィルター２３０の交換ができ、受け皿２３２はそのまま使用できる。
【００３６】
風路としての通路の構成は、排気通路（図１０のＲＡ，ＥＡに相当）は下ケース２０３の吸込口２０３ｅより室内の空気が吸込まれ（ＲＡ）、エレメント１０５を通って上ケース２０１の上部に設けられた三角形状の切欠部２０１ｂから上ケース２０１のＵ字形状部２０１ｃを経て排気ファン１１５によりＵ字形状部２０１ｃの下方の切欠部２０１ｄより排気される（ＥＡ）通路となる。
【００３７】
給気通路（図１０のＯＡ，ＳＡに相当）は上ケース２０１のＵ字形状部２０１ｈより室外からの空気が吸込まれ（ＯＡ）、給気ファン１１７により上ケース２０１の下方に設けられた三角片２０１ｉよりエレメント１０５を通って上ケース２０１の側面の切欠部２０１ｊより吹出される（ＳＡ）通路となる。
【００３８】
排気ファン１１５及び給気ファン１１７はモータ１１９の軸に結合されており、モータ１１９は取付板１１６に固定されている。上ケース２０１の凹部２０１ｃ，２０１ｈと、下ケース２０３の凹部２０３ｃとに排気ファン１１５，給気ファン１１７及びモータ１１９が内包されている。
【００３９】
換気装置本体１０２と接続板の関係は、接続板１４０については側面に設けられた二つの延設片１４０ａと、上面に設けられたストッパー片１４０ｃとにより、本体１０３の左右のズレを防ぎながら換気装置本体１０２を上下方向にスライドして位置決めができ、着脱も自在にできる。
【００４０】
接続板１３０も同様に側面に設けられた二つの延設片１３０ａと、上面に設けられたストッパー片１３０ｃにより本体１０３の左右のズレを防ぎながら換気装置本体１０２を上下方向にスライドして位置決めができ、着脱も自在にできる。
【００４１】
また、接続板１３０には、パイプ１１３が本体１０３の天面に対して平行に、横一列に設けられ、パイプ１１３の一つの先端には給気個所の数、または部屋の大きさ等に応じて適宜選択使用できるように蓋１１４が設けられている。蓋１１４はパイプ１１３と一体的に形成されており、外周に薄肉部を設けて、パイプ１１３を使用する場合には、蓋１１４の薄肉部をナイフ等で切断して使用する。このように蓋１１４を設けることにより、蓋１１４の有無で、換気する部屋数、換気能力なとを選択、調整することができる。
【００４２】
連結板１５０は接続板１４０と１３０との中央部を連結しているが、長手方向がほぼ本体の長さに等しく、幅は長手方向の長さに対して１／６以上の幅広の長方形状の板である。幅広に形成することによりたわみが生じにくく、また、捻りに対しても強くなる。板の両端部には、一対の孔１５０ｅを設け接続板に固定するとき、接続板１４０と１３０のストッパー片下面に設けられた一対の鍵状の突起１４０ｔ，１３０ｔと係合する。
【００４３】
上記のように構成された換気装置を天井に固定する施工方法を図５から図９によって説明する。まず、図５に示すように天井の野縁９００に換気装置本体１０２を固定させる略四角形の固定枠１００１を取り付ける。
【００４４】
次に図６に示すように、固定枠１００１で囲まれる空間から、ダクト８００、ダクト１１００を挿入して一端を下方に降ろして、接続板１４０のパイプ１０９，１１１にダクト１１００を接続し、接続板１３０のパイプ１１３にダクト８００を接続する。
【００４５】
次に図７に示すように、接続板１３０及び１４０のフランジ１３０ｆ、１４０ｆを４本のネジ９５０で固定枠１００１の下に締め付け固定する。
【００４６】
次に図８に示すように接続板１４０及び１３０の突起１４０，１３０ｔを連結板１５０の孔１５０ｅに係合して連結する。これにより二つの接続板１４０、１３０は換気装置本体１０２が入る間隔が保持される。
【００４７】
次にこの状態で、天井部の施工が完成した後、図９に示すように接続板１４０及び１３０の延設片１３０ａ，１４０ａの間に換気装置本体１０２を上方向にスライド挿入してストッパー片１３０ｃ，１４０ｃに固定された連結板１５０と本体１０３の天面とが当接するまで、本体１０２を押し込む。
【００４８】
換気装置本体は延設片１３０ａ、１４０ａで側面を支えながら挿入されるので押し込みし易く、また、接続板１３０と１４０との間に幅広の連結板１５０を設けているので、本体１０２を挿入中でも接続板１３０と１４０の変形やズレ等がおきないので容易に挿入することができる。
【００４９】
換気装置本体１０２は接続板の間に挿入した後、本体１０３のフランジ１０３ｆを固定枠１００１にネジ９７０で固定する。
次に本体１０３の開口部に底板２０５を固定する。
【００５０】
以上説明した方法により、例えば、ダクト８００、ダクト１１００の一端を天井から降ろして、前もって接続板のパイプ１０９，１１１，１１３に接続することができるため、重い換気装置本体１０２を支える必要が無いので接続がし易く作業も安全にできる。
【００５１】
また、換気装置本体１０２の無い状態でダクト８００及びダクト１１００の接続工事ができるので、住宅の天井部と換気装置の取り付け工事の分離ができ、天井部の施工後に換気装置の本体１０２の取付けができるので施工工事がし易い。
【００５２】
また、接続板１４０、１３０により換気装置本体１０２とダクトが分離されているので、ダクトを外さなくても換気装置本体１０２のみの取り外しができ、メンテナンス作業がし易い。
【００５３】
【発明の効果】
第１の発明によれば、換気装置本体の両面に着脱可能なダクトを接続する接続板を設け、この接続板を天井の固定枠に固定して換気装置本体を挿入して固定できる構成としたので、住宅の天井部と換気装置の取り付け工程を分離することができ、ダクトも低い位置で操作できるので施工工事がやり易いという効果がある。
【００５４】
第２の発明によれば、第１及び第２の接続板にダクトを配管して、接続板を固定枠に取付けた後に換気装置本体を固定できるようにしたので、住宅の天井部を施工した後に、換気装置を天井部に取付けができ、ダクトも低い位置で操作できるので施工がし易いという効果がある。
【００５７】
第３の発明によれば、第１の接続板と第２の接続板とを着脱可能の連結板で連結したので、接続板間の距離の維持ができ、換気装置本体を接続板間に挿入し易いという効果がある。
【図面の簡単な説明】
【図１】  この発明の一実施の形態による換気装置の分解斜視図である。
【図２】  図１に示す換気装置の本体の分解斜視図である。
【図３】  図１に示す換気装置の上ケースを外した状態での平面図である。
【図４】  図３に示す外気フィルターと受け皿の分解斜視図である。
【図５】  天井の野縁に固定枠を設けた斜視図である。
【図６】  図１に示す換気装置の接続板にダクトを接続した斜視図である。
【図７】  図６の取り付け状態から、換気装置の接続板を固定枠に取り付けを示す斜視図である。
【図８】  図７の取り付け状態から、換気装置のダクト間に連結板の取り付けを示す斜視図である。
【図９】  図８の取り付け状態から、換気装置の本体を固定枠に取り付ける斜視図である。
【図１０】  換気装置の模式断面図である。
【符号の説明】
１０３  本体、  １０５  熱交換素子、  １１３  パイプ、  １０９，１１１パイプ、  １０９ａ  排気口、  １１１ａ  吸込口、  １１５  排気ファン、１１７  給気ファン、  １３０  接続板、  １３０ａ  延設片、  １３０ｃ  ストッパー片、  １３０ｔ  突起、  １４０  接続板、  １４０ａ  延設片、  １４０ｃ  ストッパー片、  １４０ｔ  突起、  １５０  連結板、  １５０ｅ  孔、  ２３０  フィルター、  ２３２  受け皿。
【図１】
0003744253.tif 000002
【図２】
0003744253.tif 000003
【図３】
0003744253.tif 000004
【図４】
0003744253.tif 000005
【図５】
0003744253.tif 000006
【図６】
0003744253.tif 000007
【図７】
0003744253.tif 000008
【図８】
0003744253.tif 000009
【図９】
0003744253.tif 000010
【図１０】
0003744253.tif 000011